(57)【要約】【課題】音声品質の低下を抑制することの可能なフラットパネルスピーカおよび表示装置を提供する。【解決手段】本開示の一実施形態に係るフラットパネルスピーカは、フラットパネルと、加振器と、制振部材とを備えている。加振器は、フラットパネルの裏面に配置され、フラットパネルを振動させる。制振部材は、フラットパネルの裏面において、加振器と対向する位置を加振点としたときに、フラットパネルの裏面を、加振点を含む区画領域に区画するとともに、加振点側に突出する箇所を有しない円環状または多角環状となっており、フラットパネルの裏面に固定されている。【選択図】図４２
2019110588.tif 000002
【特許請求の範囲】
【請求項１】
フラットパネルと、
前記フラットパネルの裏面に配置され、前記フラットパネルを振動させる複数の加振器と、
前記フラットパネルの裏面において、前記複数の加振器のうちの第１加振器と対向する位置を第１加振点とし、前記複数の加振器のうち前記第１加振器とは異なる第２加振器と対向する位置を第２加振点としたときに、前記フラットパネルの裏面を、前記第１加振点を含む第１区画領域と、前記第２加振点を含む第２区画領域とに区画するとともに、前記フラットパネルの裏面に固定された制振部材と
を備え、
前記複数の加振器は、当該複数の加振器により前記フラットパネルに振動を発生させたときに音声周波数全体において最も振動し易い箇所を避けて配置されており、
前記制振部材は、前記第１区画領域を形成する第１制振部材と、前記第２区画領域を形成する第２制振部材とを有し、
前記第１制振部材は、前記第１加振点側に突出する箇所を有しない円環状または多角環状となっており、
前記第２制振部材は、前記第２加振点側に突出する箇所を有しない円環状または多角環状となっている
フラットパネルスピーカ。
【請求項２】
フラットパネルと、
前記フラットパネルの裏面に配置され、前記フラットパネルを振動させる加振器と、
前記フラットパネルの裏面において、前記加振器と対向する位置を加振点としたときに、前記フラットパネルの裏面を、前記加振点を含む区画領域に区画するとともに、前記加振点側に突出する箇所を有しない円環状または多角環状となっており、前記フラットパネルの裏面に固定された制振部材と
を備え、
前記加振器は、当該加振器により前記フラットパネルに振動を発生させたときに音声周波数全体において最も振動し易い箇所を避けて配置されている
フラットパネルスピーカ。
【請求項３】
フラットパネルと、
前記フラットパネルの裏面に配置され、前記フラットパネルを振動させる複数の加振器と、
前記フラットパネルの裏面において、前記複数の加振器のうちの第１加振器と対向する位置を第１加振点とし、前記複数の加振器のうち前記第１加振器とは異なる第２加振器と対向する位置を第２加振点としたときに、前記フラットパネルの裏面を、前記第１加振点を含む第１区画領域と、前記第２加振点を含む第２区画領域とに区画するとともに、前記フラットパネルの裏面に固定された制振部材と
を備え、
前記複数の加振器は、当該複数の加振器により前記フラットパネルに振動を発生させたときに音声周波数全体において最も振動し易い箇所を避けて配置されており、
前記制振部材は、前記第１区画領域を形成する第１制振部材と、前記第２区画領域を形成する第２制振部材とを有し、
前記第１制振部材は、前記第１区画領域が開領域となるように構成されており、
前記第２制振部材は、前記第２区画領域が開領域となるように構成されている
フラットパネルスピーカ。
【請求項４】
フラットパネルと、
前記フラットパネルの裏面に配置され、前記フラットパネルを振動させる加振器と、
前記フラットパネルの裏面において、前記加振器と対向する位置を加振点としたときに、前記フラットパネルの裏面を、前記加振点を含む区画領域に区画するとともに、前記区画領域が開領域となるように構成されており、前記フラットパネルの裏面に固定された制振部材と
を備え、
前記加振器は、当該加振器により前記フラットパネルに振動を発生させたときに音声周波数全体において最も振動し易い箇所を避けて配置されている
フラットパネルスピーカ。
【請求項５】
前記フラットパネルと所定の間隙を介して対向配置された対向プレートをさらに有しており、
各前記加振器は前記対向プレートに固定されており、
前記制振部材は、前記対向プレートから離れて配置されている
請求項１ないし請求項４のいずれか一項に記載のフラットパネルスピーカ。
【請求項６】
前記複数の加振器は、当該複数の加振器により前記フラットパネルに振動を発生させたときに音声周波数全体において最も振動し難い箇所を避けて配置されている
請求項１または請求項３に記載のフラットパネルスピーカ。
【請求項７】
前記加振器は、当該加振器により前記フラットパネルに振動を発生させたときに音声周波数全体において最も振動し難い箇所を避けて配置されている
請求項２または請求項４に記載のフラットパネルスピーカ。
【請求項８】
映像を表示する薄板状の表示セルと、
前記表示セルの裏面に配置され、前記表示セルを振動させる複数の加振器と、
前記表示セルの裏面において、前記複数の加振器のうちの第１加振器と対向する位置を第１加振点とし、前記複数の加振器のうち前記第１加振器とは異なる第２加振器と対向する位置を第２加振点としたときに、前記表示セルの裏面を、前記第１加振点を含む第１区画領域と、前記第２加振点を含む第２区画領域とに区画するとともに、前記表示セルの裏面に固定された制振部材と
を備え、
前記複数の加振器は、当該複数の加振器により前記表示セルに振動を発生させたときに音声周波数全体において最も振動し易い箇所を避けて配置されており、
前記制振部材は、前記第１区画領域を形成する第１制振部材と、前記第２区画領域を形成する第２制振部材とを有し、
前記第１制振部材は、前記第１加振点側に突出する箇所を有しない円環状または多角環状となっており、
前記第２制振部材は、前記第２加振点側に突出する箇所を有しない円環状または多角環状となっている
表示装置。
【請求項９】
映像を表示する薄板状の表示セルと、
前記表示セルの裏面に配置され、前記表示セルを振動させる加振器と、
前記表示セルの裏面において、前記加振器と対向する位置を加振点としたときに、前記表示セルの裏面を、前記加振点を含む区画領域に区画するとともに、前記加振点側に突出する箇所を有しない円環状または多角環状となっており、前記表示セルの裏面に固定された制振部材と
を備え、
前記加振器は、当該加振器により前記表示セルに振動を発生させたときに音声周波数全体において最も振動し易い箇所を避けて配置されている
表示装置。
【請求項１０】
映像を表示する薄板状の表示セルと、
前記表示セルの裏面に配置され、前記表示セルを振動させる複数の加振器と、
前記表示セルの裏面において、前記複数の加振器のうちの第１加振器と対向する位置を第１加振点とし、前記複数の加振器のうち前記第１加振器とは異なる第２加振器と対向する位置を第２加振点としたときに、前記表示セルの裏面を、前記第１加振点を含む第１区画領域と、前記第２加振点を含む第２区画領域とに区画するとともに、前記表示セルの裏面に固定された制振部材と
を備え、
前記複数の加振器は、当該複数の加振器により前記表示セルに振動を発生させたときに音声周波数全体において最も振動し易い箇所を避けて配置されており、
前記制振部材は、前記第１区画領域を形成する第１制振部材と、前記第２区画領域を形成する第２制振部材とを有し、
前記第１制振部材は、前記第１区画領域が開領域となるように構成されており、
前記第２制振部材は、前記第２区画領域が開領域となるように構成されている
表示装置。
【請求項１１】
映像を表示する薄板状の表示セルと、
前記表示セルの裏面に配置され、前記表示セルを振動させる加振器と、
前記表示セルの裏面において、前記加振器と対向する位置を加振点としたときに、前記表示セルの裏面を、前記加振点を含む区画領域に区画するとともに、前記区画領域が開領域となるように構成されており、前記表示セルの裏面に固定された制振部材と
を備え、
前記加振器は、当該加振器により前記表示セルに振動を発生させたときに音声周波数全体において最も振動し易い箇所を避けて配置されている
表示装置。
【請求項１２】
前記表示セルと所定の間隙を介して対向配置された対向プレートをさらに有しており、
各前記加振器は前記対向プレートに固定されており、
前記制振部材は、前記対向プレートから離れて配置されている
請求項８ないし請求項１１のいずれか一項に記載の表示装置。
【請求項１３】
前記複数の加振器は、当該複数の加振器により前記表示セルに振動を発生させたときに音声周波数全体において最も振動し難い箇所を避けて配置されている
請求項８または請求項１０に記載の表示装置。
【請求項１４】
前記加振器は、当該加振器により前記表示セルに振動を発生させたときに音声周波数全体において最も振動し難い箇所を避けて配置されている
請求項９または請求項１１に記載の表示装置。
【発明の詳細な説明】
【技術分野】
【０００１】
本開示は、フラットパネルスピーカおよび表示装置に関する。
【背景技術】
【０００２】
ディスプレイの薄型軽量化が急激な伸長を遂げている。それに伴い、スピーカについても薄型軽量化が進み、コーン型スピーカに代わって、または、コーン型スピーカとともに、フラットパネルスピーカ（ＦＰＳ）を用いることが提案されている。フラットパネルスピーカでは、ディスプレイだけでなく、展示会などに掲示されるポスターなどへの適用など、用途の広がりが期待されている。フラットパネルスピーカについては、例えば、特許文献１〜３に開示されている。
【先行技術文献】
【特許文献】
【０００３】
【特許文献１】特開２００７−１４３０１０号公報
【特許文献２】特開２００９−１５９１０４号公報
【特許文献３】特表２００２−５１０１８２号公報
【発明の概要】
【０００４】
しかし、従来のフラットパネルスピーカでは、振動板に生じる定在波の影響により、音にギラツキが生じたり、特定の周波数帯の音が出にくいなど、音声品質が低下する場合があった。従って、音声品質の低下を抑制することの可能なフラットパネルスピーカおよび表示装置を提供することが望ましい。
【０００５】
本開示の一実施形態に係る第１のフラットパネルスピーカは、フラットパネルと、フラットパネルの裏面に配置され、フラットパネルを振動させる複数の加振器とを備えている。複数の加振器は、当該複数の加振器によりフラットパネルに振動を発生させたときに音声周波数全体において最も振動し易い箇所を避けて配置されている。第１のフラットパネルスピーカは、さらに、フラットパネルの裏面において、複数の加振器のうちの第１加振器と対向する位置を第１加振点とし、複数の加振器のうち第１加振器とは異なる第２加振器と対向する位置を第２加振点としたときに、フラットパネルの裏面を、第１加振点を含む第１区画領域と、第２加振点を含む第２区画領域とに区画するとともに、フラットパネルの裏面に固定された制振部材を備えている。制振部材は、第１区画領域を形成する第１制振部材と、第２区画領域を形成する第２制振部材とを有している。第１制振部材は、第１加振点側に突出する箇所を有しない円環状または多角環状となっており、第２制振部材は、第２加振点側に突出する箇所を有しない円環状または多角環状となっている。
【０００６】
本開示の一実施形態に係る第１の表示装置は、映像を表示する薄板状の表示セルと、表示セルの裏面に配置され、表示セルを振動させる複数の加振器とを備えている。複数の加振器は、当該複数の加振器により表示セルに振動を発生させたときに音声周波数全体において最も振動し易い箇所を避けて配置されている。第１の表示装置は、さらに、表示セルの裏面において、複数の加振器のうちの第１加振器と対向する位置を第１加振点とし、複数の加振器のうち第１加振器とは異なる第２加振器と対向する位置を第２加振点としたときに、表示セルの裏面を、第１加振点を含む第１区画領域と、第２加振点を含む第２区画領域とに区画するとともに、表示セルの裏面に固定された制振部材を備えている。制振部材は、第１区画領域を形成する第１制振部材と、第２区画領域を形成する第２制振部材とを有している。第１制振部材は、第１加振点側に突出する箇所を有しない円環状または多角環状となっており、第２制振部材は、第２加振点側に突出する箇所を有しない円環状または多角環状となっている。
【０００７】
本開示の一実施形態に係る第２のフラットパネルスピーカは、フラットパネルと、フラットパネルの裏面に配置され、フラットパネルを振動させる加振器とを備えている。第２のフラットパネルスピーカは、さらに、フラットパネルの裏面において、加振器と対向する位置を加振点としたときに、フラットパネルの裏面を、加振点を含む区画領域に区画するとともに、加振点側に突出する箇所を有しない円環状または多角環状となっており、フラットパネルの裏面に固定された制振部材を備えている。加振器は、当該加振器によりフラットパネルに振動を発生させたときに音声周波数全体において最も振動し易い箇所を避けて配置されている。
【０００８】
本開示の一実施形態に係る第２の表示装置は、映像を表示する薄板状の表示セルと、表示セルの裏面に配置され、表示セルを振動させる加振器とを備えている。第２の表示装置は、さらに、表示セルの裏面において、加振器と対向する位置を加振点としたときに、表示セルの裏面を、加振点を含む区画領域に区画するとともに、加振点側に突出する箇所を有しない円環状または多角環状となっており、表示セルの裏面に固定された制振部材を備えている。加振器は、当該加振器により表示セルに振動を発生させたときに音声周波数全体において最も振動し易い箇所を避けて配置されている。
【０００９】
本開示の一実施形態に係る第３のフラットパネルスピーカは、フラットパネルと、フラットパネルの裏面に配置され、フラットパネルを振動させる複数の加振器とを備えている。複数の加振器は、当該複数の加振器によりフラットパネルに振動を発生させたときに音声周波数全体において最も振動し易い箇所を避けて配置されている。第３のフラットパネルスピーカは、さらに、フラットパネルの裏面において、複数の加振器のうちの第１加振器と対向する位置を第１加振点とし、複数の加振器のうち第１加振器とは異なる第２加振器と対向する位置を第２加振点としたときに、フラットパネルの裏面を、第１加振点を含む第１区画領域と、第２加振点を含む第２区画領域とに区画するとともに、フラットパネルの裏面に固定された制振部材を備えている。
【００１０】
本開示の一実施形態に係る第３の表示装置は、映像を表示する薄板状の表示セルと、表示セルの裏面に配置され、表示セルを振動させる複数の加振器とを備えている。複数の加振器は、当該複数の加振器により表示セルに振動を発生させたときに音声周波数全体において最も振動し易い箇所を避けて配置されている。第３の表示装置は、さらに、表示セルの裏面において、複数の加振器のうちの第１加振器と対向する位置を第１加振点とし、複数の加振器のうち第１加振器とは異なる第２加振器と対向する位置を第２加振点としたときに、表示セルの裏面を、第１加振点を含む第１区画領域と、第２加振点を含む第２区画領域とに区画するとともに、表示セルの裏面に固定された制振部材を備えている。
【００１１】
本開示の一実施形態に係る第４のフラットパネルスピーカは、フラットパネルと、フラットパネルの裏面に配置され、フラットパネルを振動させる加振器とを備えている。第４のフラットパネルスピーカは、さらに、フラットパネルの裏面において、加振器と対向する位置を加振点としたときに、フラットパネルの裏面を、加振点を含む区画領域に区画するとともに、区画領域が開領域となるように構成されており、フラットパネルの裏面に固定された制振部材を備えている。加振器は、当該加振器によりフラットパネルに振動を発生させたときに音声周波数全体において最も振動し易い箇所を避けて配置されている。
【００１２】
本開示の一実施形態に係る第４の表示装置は、映像を表示する薄板状の表示セルと、表示セルの裏面に配置され、表示セルを振動させる加振器とを備えている。第４の表示装置は、さらに、表示セルの裏面において、加振器と対向する位置を加振点としたときに、表示セルの裏面を、加振点を含む区画領域に区画するとともに、区画領域が開領域となるように構成されており、表示セルの裏面に固定された制振部材を備えている。加振器は、当該加振器により表示セルに振動を発生させたときに音声周波数全体において最も振動し易い箇所を避けて配置されている。
【図面の簡単な説明】
【００１３】
【図１】本開示の第１の実施の形態に係るフラットパネルスピーカの側面構成例を表す図である。
【図２】図１のフラットパネルスピーカの背面構成例を表す図である。
【図３】図２のバックシャーシを取り外したときの、フラットパネルスピーカの背面の構成例を表す図である。
【図４】図３のＡ−Ａ線での断面構成例を表す図である。
【図５】図３のＢ−Ｂ線での断面構成例を表す図である。
【図６】図４の制振部材の断面構成例を表す図である。
【図７】図４の制振部材の平面構成例を表す図である。
【図８】図４の制振部材の平面構成例を表す図である。
【図９】図４の制振部材の平面構成例を表す図である。
【図１０】図４の制振部材の平面構成例を表す図である。
【図１１】図４の制振部材の平面構成例を表す図である。
【図１２】図４の制振部材の平面構成例を表す図である。
【図１３】図４の制振部材の平面構成例を表す図である。
【図１４】図４の制振部材の平面構成例を表す図である。
【図１５】図４の制振部材の平面構成例を表す図である。
【図１６】図４の制振部材の平面構成例を表す図である。
【図１７】図４の制振部材の平面構成例を表す図である。
【図１８】図４の制振部材の平面構成例を表す図である。
【図１９】図４の制振部材の平面構成例を表す図である。
【図２０】図４の制振部材の平面構成例を表す図である。
【図２１】図５の断面構成の一変形例を表す図である。
【図２２】図１のパネルスピーカの側面構成の一変形例を表す図である。
【図２３】図２２のフラットパネルスピーカの背面構成例を表す図である。
【図２４】本開示の第２の実施の形態に係るフラットパネルスピーカの側面構成例を表す図である。
【図２５】図２４のフラットパネルスピーカの背面構成例を表す図である。
【図２６】図２５のバックシャーシを取り外したときの、フラットパネルスピーカの背面の構成例を表す図である。
【図２７】図２６のＡ−Ａ線での断面構成例を表す図である。
【図２８】図５の断面構成の一変形例を表す図である。
【図２９】図２１の断面構成の一変形例を表す図である。
【図３０】図２７の断面構成の一変形例を表す図である。
【図３１】図３の背面構成の一変形例を表す図である。
【図３２】図２７の背面構成の一変形例を表す図である。
【図３３】図７の背面構成の一変形例を表す図である。
【図３４】図３１の背面構成の一変形例を表す図である。
【図３５】図３２の背面構成の一変形例を表す図である。
【図３６】図３３の背面構成の一変形例を表す図である。
【図３７】図３６の背面構成の一変形例を表す図である。
【図３８】図３６の背面構成の一変形例を表す図である。
【図３９】図３６の背面構成の一変形例を表す図である。
【図４０】図３６の背面構成の一変形例を表す図である。
【図４１】図３６の背面構成の一変形例を表す図である。
【図４２】図３６の背面構成の一変形例を表す図である。
【図４３】図３６の背面構成の一変形例を表す図である。
【発明を実施するための形態】
【００１４】
以下、本開示を実施するための形態について、図面を参照して詳細に説明する。以下の
説明は本開示の一具体例であって、本開示は以下の態様に限定されるものではない。
【００１５】
＜１．第１の実施の形態＞
[構成]
本開示の第１の実施の形態に係るフラットパネルスピーカ１について説明する。図１は、本実施の形態に係るフラットパネルスピーカ１の側面構成例を表したものである。図２は、図１のフラットパネルスピーカ１の背面構成例を表したものである。フラットパネルスピーカ１は、映像を表示する表示装置を兼ねている。言い換えると、表示装置が、フラットパネルスピーカ１を内蔵しており、映像を表示する表示面から音声を出力することができるように構成されているとも言える。
【００１６】
フラットパネルスピーカ１は、例えば、振動板としてのパネル部１０と、パネル部１０の裏面に配置され、パネル部１０を振動させる加振部２０とを備えている。フラットパネルスピーカ１は、さらに、例えば、加振部２０を制御する信号処理部３０と、パネル部１０を、回動部５０を介して支持する支持部４０とを備えている。回動部５０は、支持部４０によってパネル部１０の裏面を支持するときのパネル部１０の傾斜角を調整するためのものであり、例えば、パネル部１０および支持部４０を回動可能に支持するヒンジによって構成されている。
【００１７】
加振部２０および信号処理部３０は、パネル部１０の裏面に配置されている。パネル部１０は、パネル部１０の裏面側に、パネル部１０、加振部２０および信号処理部３０を保護するバックシャーシ１９を有している。バックシャーシ１９は、例えば、板状の金属板もしくは樹脂板によって構成されている。バックシャーシ１９が、回動部５０に連結されている。
【００１８】
図３は、バックシャーシ１９を取り外したときの、フラットパネルスピーカ１の背面の構成例を表したものである。図４は、図３のＡ−Ａ線での断面構成例を表したものである。図５は、図３のＢ−Ｂ線での断面構成例を表したものである。なお、図５には、後述の加振器２１（アクチュエータ）付近の断面構成が例示されているが、この断面構成は、他の加振器（例えば加振器２２（アクチュエータ））付近の断面構成と同様の断面構成となっているものとする。
【００１９】
パネル部１０は、例えば、映像を表示する薄板状の表示セル１１と、空隙１５を介して表示セル１１と対向配置されたインナープレート１２（対向プレート）とを有している。振動板としての表示セル１１では、例えば、表示セル１１の縁が丸まっていてもよく、例えば、表示セル１１の四隅が丸まっていてもよい。パネル部１０は、さらに、例えば、インナープレート１２の裏面に接して配置されたガラス基板１３と、表示セル１１とインナープレート１２との間に配置された固定部材１４とを有している。
【００２０】
固定部材１４は、表示セル１１とインナープレート１２とを互いに固定する機能と、空隙１５を維持するスペーサとしての機能とを有している。固定部材１４は、例えば、表示セル１１の外縁に沿って配置されている。固定部材１４は、例えば、表示セル１１が振動している時に表示セル１１の端縁が自由端として振る舞える程度の柔軟性を有していてもよい。固定部材１４は、例えば、両面に接着層を有するスポンジなどの緩衝層によって構成されている。
【００２１】
インナープレート１２は、後述の加振器２１，２２を支持する基板である。インナープレート１２は、例えば、加振器２１，２２を設置する箇所に開口を有しており、その開口の周囲に、後述の固定部２３を支持するための凸部１２Ａを有している。凸部１２Ａは、表示セル１１とは反対側に突出している。ガラス基板１３は、インナープレート１２よりも高い剛性を有しており、インナープレート１２の撓みもしくは振動を抑える役割を有している。ガラス基板１３は、凸部１２Ａと対向する位置に開口を有している。ガラス基板１３に設けられた開口は、凸部１２Ａおよび加振器２１もしくは加振器２２を挿通することが可能な大きさとなっている。ガラス基板１３の代わりに、ガラス基板１３と同等の剛性を有する樹脂基板が設けられていてもよい。
【００２２】
加振部２０は、例えば、２つの加振器（加振器２１，２２）を有している。加振器２１および加振器２２は、互いに共通の構成となっている。加振器２１，２２は、加振器２１，２２により表示セル１１に振動を発生させたときに音声周波数（例えば２０Ｈｚ〜２０ｋＨｚ）全体において最も振動し易い箇所を避けて配置されている。「最も振動し易い箇所」としては、例えば、加振器２１，２２により表示セル１１に振動を発生させたときに、表示セル１１に発生する最も大きな定在波の腹の位置が挙げられる。加振器２１，２２は、さらに、加振器２１，２２により表示セル１１に振動を発生させたときに音声周波数全体において最も振動し難い箇所を避けて配置されている。表示セル１１の振動は、例えば、レーザドップラー振動計を用いて、表示セル１１の面全体の振動を音声周波数全体において計測することにより得られる。加振器２１，２２は、例えば、表示セル１１の左右方向および上下方向において、割り切れない比率の箇所に配置されている。「割り切れない比率」の例としては、３：４、５：７、３：７、２：５、７：１１などが挙げられる。
【００２３】
加振器２１は、表示セル１１を裏面から見たときに、左寄りに配置されている。加振器２２は、表示セル１１を裏面から見たときに、右寄りに配置されている。加振器２１，２２は、それぞれ、例えば、ボイスコイルと、ボイスコイルを巻き付けるボビンと、磁気回路とを有し、振動源となるスピーカ用アクチュエータである。加振器２１，２２は、それぞれ、ボイスコイルに電気信号の音声電流が流れると、電磁作用の原理に従ってボイスコイルに駆動力を発生させる。この駆動力が後述の振動伝達部材２４を介して表示セル１１に伝達され、表示セル１１に音声電流の変化に応じた振動を発生させ、空気が振動して音圧が変化する。
【００２４】
加振部２０は、さらに、例えば、加振器（加振器２１，２２）ごとに、固定部２３および振動伝達部材２４を有している。
【００２５】
固定部２３は、例えば、加振器２１もしくは加振器２２を挿通させた状態で固定する開口２３ａを有している。固定部２３は、さらに、例えば、固定部２３を凸部１２Ａに固定する際に使用するネジを挿通させるための複数のネジ穴２３ｂを有している。各加振器（加振器２１，２２）は、例えば、固定部２３を介して、インナープレート１２に固定されている。固定部２３は、例えば、加振器２１もしくは加振器２２をインナープレート１２に固定する他に、加振器２１もしくは加振器２２から発生した熱を放散させるヒートシンクの機能を有していてもよい。
【００２６】
振動伝達部材２４は、例えば、表示セル１１の裏面と、加振器２１もしくは加振器２２のボビンとに接しており、表示セル１１の裏面と、加振器２１もしくは加振器２２のボビンとに固定されている。振動伝達部材２４は、少なくとも、音波領域（２０Ｈｚ以上）では反発する特性を有する部材によって構成されている。振動伝達部材２４は、例えば、熱硬化性樹脂、両面テープ、または、低反発ウレタンなどによって構成されている。振動伝達部材２４が熱硬化性樹脂によって構成されている場合、振動伝達部材２４は、例えば、ボイスコイルに通電することでボイスコイルに熱を発生させ、その熱で熱硬化性樹脂を硬化させる等ことにより形成される。振動伝達部材２４が両面テープによって構成されている場合、振動伝達部材２４は、例えば、ボイスコイルに一定のパルス信号を入力して、両面テープをボイスコイルで強く押しつけること等により、表示セル１１の裏面と、加振器２１もしくは加振器２２のボビンとに固定される。振動伝達部材２４が低反発ウレタンによって構成されている場合、低反発ウレタンは、音波領域（２０Ｈｚ以上）では反発する特性を有するとともに、周波数の低い領域（２０Ｈｚ未満）には追随する特性を有していることが好ましい。これにより、低反発ウレタンは、音の振動を減衰させることなく、外部からの衝撃による表示セル１１の変位に追随することができる。
【００２７】
ところで、パネル部１０は、例えば、図５に示したように、制振部材１６を有している。制振部材１６は、加振器２１によって表示セル１１に生じる振動と、加振器２２によって表示セル１１に生じる振動とが互いに干渉することによって発生する定在波を妨げる作用を有する。制振部材１６は、例えば、加振器２２によって発生する振動に対する音波領域（２０Ｈｚ以上）での反射を制御可能な材料を含んで構成されていてもよい。また、制振部材１６は、例えば、加振器２２によって発生する振動または残響を吸収可能な材料を含んで構成されていてもよい。制振部材１６は、表示セル１１とインナープレート１２との間隙、つまり、空隙１５の中に配置されている。制振部材１６は、表示セル１１の裏面およびインナープレート１２の表面のうち、少なくともに表示セル１１の裏面に固定されている。制振部材１６は、例えば、インナープレート１２の表面に接している。
【００２８】
図６は、制振部材１６の断面構成例を表したものである。制振部材１６は、例えば、接着層１６１（もしくは粘着層１６６）、スポンジ層１６２、基材層１６３、スポンジ層１６４および接着層１６５（もしくは粘着層１６７）が表示セル１１側からこの順に積層された積層体となっている。接着層１６１は、表示セル１１の裏面に接しており、制振部材１６を表示セル１１の裏面に固定している。スポンジ層１６２，１６４は、上述の作用をもたらす層である。スポンジ層１６２，１６４は、例えば、自立性に乏しい柔軟部材によって構成されている。このとき、制振部材１６は、自立性に乏しい柔軟部材としてスポンジを有し、さらに、そのスポンジを表示セル１１の裏面に固定する粘着層１６６または接着層１６１とを有している。
【００２９】
スポンジ層１６２，１６４の硬度が高い場合には、スポンジ層１６２，１６４での音波の反射が強くなるので、定在波の面内分布がフラットではなくなるが、音圧が上がる傾向にある。スポンジ層１６２，１６４の硬度が低い場合には、スポンジ層１６２，１６４での音波の反射が弱まるので、定在波の面内分布がフラットに近づくが、音圧が下がる傾向にある。
【００３０】
なお、制振部材１６は、上述の作用を有している限りにおいて、図６に記載の構成に限定されるものではない。制振部材１６は、例えば、自立性に乏しい柔軟部材として粘着剤または接着剤を有していてもよい。制振部材１６は、例えば、振動伝達部材２４、または、固定部２３と同様の構成となっていてもよい。制振部材１６は、例えば、表示セル１１に固定されたマグネットシート、または、表示セル１１およびインナープレート１２に固定された面ファスナーであってもよい。
【００３１】
図７〜図１６は、制振部材１６の平面構成例を表したものである。ここで、表示セル１１の裏面において、加振器２１（第１加振器）と対向する位置を加振点１１Ａ（第１加振点）とし、加振器２２（第２加振器）と対向する位置を加振点１１Ｂ（第２加振点）とする。このとき、制振部材１６は、表示セル１１の裏面を、加振点１１Ａを含む区画領域Ｒ１（第１区画領域）と、加振点１１Ｂを含む区画領域Ｒ２（第２区画領域）とに区画する。制振部材１６は、例えば、区画領域Ｒ１を形成する制振部材１６Ｌ（第１制振部材）と、区画領域Ｒ２を形成する制振部材１６Ｒ（第２制振部材）とを有していてもよい。
【００３２】
制振部材１６Ｌは、例えば、図７、図９〜図１２に示したように、加振点１１Ａ側に突出する複数の凸部１６ａ（第１凸部）を有していてもよい。制振部材１６Ｒは、例えば、図７、図９〜図１２に示したように、加振点１１Ｂ側に突出する複数の凸部１６ｂ（第２凸部）を有していてもよい。制振部材１６Ｌは、例えば、図８に示したように、加振点１１Ａ側に突出する１つの凸部１６ａを有していてもよい。制振部材１６Ｒは、例えば、図８に示したように、加振点１１Ｂ側に突出する１つの凸部１６ｂを有していてもよい。定在波の抑制の観点からは、制振部材１６Ｌは、多数の凸部１６ａを有していることが好ましく、制振部材１６Ｒは、多数の凸部１６ａを有していることが好ましい。
【００３３】
制振部材１６Ｌは、例えば、図７〜図１１に示したように、表示セル１１の裏面において区画領域Ｒ１が閉領域となるように形成されていてもよい。制振部材１６Ｒは、例えば、図７〜図１１に示したように、表示セル１１の裏面において区画領域Ｒ２が閉領域となるように形成されていてもよい。制振部材１６Ｌおよび制振部材１６Ｒは、例えば、図１２に示したように、表示セル１１の裏面において区画領域Ｒ１と区画領域Ｒ２とが互いに連通するとともに閉領域となるように形成されていてもよい。
【００３４】
制振部材１６Ｌは、例えば、図１３、図１４に示したように、加振点１１Ａ側に突出する箇所を有しない円環状または多角環状となっていてもよい。制振部材１６Ｒは、例えば、図１３、図１４に示したように、加振点１１Ｂ側に突出する箇所を有しない円環状または多角環状となっていてもよい。制振部材１６Ｌは、例えば、図１５、図１６に示したように、環状の凸部が２つ以上に分断した形状となっていてもよい。制振部材１６Ｒは、例えば、図１５、図１６に示したように、環状の凸部が２つ以上に分断した形状となっていてもよい。制振部材１６Ｌの縦横比は、例えば、図７〜図１４に示したように、１：１とは異なっていてもよい。制振部材１６Ｒの縦横比は、例えば、図７〜図１４に示したように、１：１とは異なっていてもよい。制振部材１６Ｌは、例えば、図１０、図１７、図１８に示したように、表示セル１１の左端寄りに配置されるとともに、制振部材１６Ｒは、例えば、図１０、図１７、図１８に示したように、表示セル１１の右端寄りに配置されている。このとき、複数の凸部１６ａが制振部材１６Ｌにおいて表示セル１１の左端寄りに配置されていてもよく、複数の凸部１６ｂが制振部材１６Ｒにおいて表示セル１１の右端寄りに配置されていてもよい。制振部材１６Ｌは、例えば、図７〜図１８に示したように、表示セル１１の中央部から見て、左右対称となっていてもよい。制振部材１６Ｒは、例えば、図７〜図１８に示したように、表示セル１１の中央部から見て、左右対称となっていてもよい。制振部材１６Ｌは、例えば、図７，図１０，図１３〜図１８に示したように、表示セル１１の中央部から見て、上下対称となっていてもよい。制振部材１６Ｒは、例えば、図７，図１０，図１３〜図１８に示したように、表示セル１１の中央部から見て、上下対称となっていてもよい。
【００３５】
制振部材１６は、例えば、図１９、図２０に示したように、加振点１１Ａと加振点１１Ｂとの間に形成されていてもよい。制振部材１６は、例えば、図１９に示したように、Ｘ形状の中心が加振点１１Ａと加振点１１Ｂとを結ぶ直線上に配置されるように形成されていてもよい。制振部材１６は、例えば、図２０に示したように、Ｉ形状の延在方向が加振点１１Ａと加振点１１Ｂとを結ぶ直線と交差（例えば直交）するように形成されていてもよい。
【００３６】
制振部材１６Ｌおよび制振部材１６Ｒは、例えば、図７〜図１４に示したように、左右対称の形状となっていてもよい。なお、制振部材１６は、上述の作用を有している限りにおいて、例えば、図２１に示したように、インナープレート１２の表面から離れて配置されていてもよい。
【００３７】
[効果]
次に、本実施の形態に係るフラットパネルスピーカ１の効果について説明する。
【００３８】
ディスプレイの薄型軽量化が急激な伸長を遂げている。それに伴い、スピーカについても薄型軽量化が進み、コーン型スピーカに代わって、または、コーン型スピーカとともに、フラットパネルスピーカ（ＦＰＳ）を用いることが提案されている。フラットパネルスピーカでは、ディスプレイだけでなく、展示会などに掲示されるポスターなどへの適用など、用途の広がりが期待されている。
【００３９】
しかし、従来のフラットパネルスピーカでは、振動板に生じる定在波の影響により、音にギラツキが生じたり、特定の周波数帯の音が出にくいなど、音声品質が低下する場合があった。
【００４０】
一方、本実施の形態に係るフラットパネルスピーカ１、または、フラットパネルスピーカ１内蔵の表示装置では、表示セル１１の裏面に配置された複数の加振器２１，２２が、当該複数の加振器２１，２２により表示セル１１に振動を発生させたときに音声周波数全体において最も振動し易い箇所を避けて配置されている。これにより、表示セル１１に対して大きな定在波が発生し難くなる。その結果、音声品質の低下を抑制することができる。
【００４１】
さらに、本実施の形態では、複数の加振器２１，２２が、当該複数の加振器２１，２２により表示セル１１に振動を発生させたときに音声周波数全体において最も振動し難い箇所を避けて配置されている。これにより、表示セル１１に対して振動を発生させることができる。
【００４２】
また、本実施の形態において、複数の加振器２１，２２が、表示セル１１の左右方向および上下方向において、割り切れない比率の箇所に配置されている場合には、表示セル１１に対して大きな定在波が発生し難くなる。その結果、音声品質の低下を抑制することができる。
【００４３】
また、本実施の形態に係るフラットパネルスピーカ１、または、フラットパネルスピーカ１内蔵の表示装置では、表示セル１１の裏面に固定された制振部材１６によって、表示セル１１の裏面が、加振点１１Ａを含む区画領域Ｒ１と、加振点１１Ｂを含む区画領域Ｒ２とに区画される。これにより、加振器２１によって表示セル１１に生じる振動と、加振器２２によって表示セル１１に生じる振動とが互いに干渉することによって発生する定在波が妨げられる。その結果、音声品質の低下を抑制することができる。
【００４４】
また、本実施の形態において、加振点１１Ａ側に突出する１または複数の凸部１６ａが制振部材１６Ｌに設けられ、加振点１１Ｂ側に突出する１または複数の凸部１６ｂが制振部材１６Ｒに設けられている場合には、１または複数の凸部１６ａおよび１または複数の凸部１６ｂによって、定在波の発生が妨げられる。その結果、音声品質の低下を抑制することができる。
【００４５】
また、本実施の形態において、制振部材１６Ｌが、表示セル１１の裏面において区画領域Ｒ１が閉領域となるように形成されている場合には、加振器２１によって表示セル１１に生じる振動によって発生する定在波が妨げられる。また、本実施の形態において、制振部材１６Ｒが、表示セル１１の裏面において区画領域Ｒ２が閉領域となるように形成されている場合には、加振器２２によって表示セル１１に生じる振動によって発生する定在波が妨げられる。従って、この場合にも、音声品質の低下を抑制することができる。なお、制振部材１６Ｌおよび制振部材１６Ｒが、表示セル１１の裏面において区画領域Ｒ１と区画領域Ｒ２とが互いに連通するとともに閉領域となるように形成されている場合であっても、加振器２１によって表示セル１１に生じる振動によって発生する定在波が妨げられるとともに、加振器２２によって表示セル１１に生じる振動によって発生する定在波が妨げられる。従って、この場合にも、音声品質の低下を抑制することができる。
【００４６】
また、本実施の形態において、制振部材１６Ｌが、加振点１１Ａ側に突出する箇所を有しない円環状または多角環状となっている場合にも、加振器２１によって表示セル１１に生じる振動によって発生する定在波が妨げられる。また、本実施の形態において、制振部材１６Ｒが、加振点１１Ｂ側に突出する箇所を有しない円環状または多角環状となっている場合にも、加振器２２によって表示セル１１に生じる振動によって発生する定在波が妨げられる。従って、この場合にも、音声品質の低下を抑制することができる。
【００４７】
また、本実施の形態において、制振部材１６が、加振点１１Ａと加振点１１Ｂとの間に形成されている場合にも、制振部材１６のレイアウトを工夫することにより、加振器２１によって表示セル１１に生じる振動と、加振器２２によって表示セル１１に生じる振動とが互いに干渉することによって発生する定在波が妨げられる。その結果、音声品質の低下を抑制することができる。
【００４８】
また、本実施の形態において、制振部材１６Ｌが表示セル１１の左端寄りに配置されるとともに、制振部材１６Ｒが表示セル１１の右端寄りに配置され、さらに、複数の凸部１６ａが制振部材１６Ｌにおいて表示セル１１の左端寄りに配置され、複数の凸部１６ｂが制振部材１６Ｒにおいて表示セル１１の右端寄りに配置されている場合には、凸部１６ａ，１６ｂの大きさなどを調整することにより、音波の指向性を調整することができる。
【００４９】
また、本実施の形態において、制振部材１６Ｌの縦横比が１：１とは異なっており、さらに、制振部材１６Ｒの縦横比が１：１とは異なっている場合には、表示セル１１に対して大きな定在波が発生し難くなる。その結果、音声品質の低下を抑制することができる。
【００５０】
また、本実施の形態において、制振部材１６Ｌ，１６Ｒが、それぞれ、環状の凸部が２つ以上に分断した形状となっている場合、制振部材１６Ｌ，１６Ｒに形成された隙間から定在波を逃がすことができる。その結果、表示セル１１に対して大きな定在波が発生し難くなる。その結果、音声品質の低下を抑制することができる。
【００５１】
また、本実施の形態において、制振部材１６Ｌ，１６Ｒが、それぞれ、表示セル１１の中央部から見て、左右対称となっており、かつ、上下対称となっている場合には、加振器２１によって生成された音声と、加振器２２によって生成された音声との特性を互いに等しくすることができる。その結果、音声品質を向上させることができる。
【００５２】
また、本実施の形態において、表示セル１１の縁が丸まっている場合や、表示セル１１四隅が丸まっている場合には、表示セル１１に対して大きな定在波が発生し難くなる。その結果、音声品質の低下を抑制することができる。
【００５３】
また、本実施の形態において、制振部材１６が、自立性に乏しい柔軟部材を含んで構成されている場合には、制振部材１６での音波の反射が弱まる。これにより、定在波の面内分布がフラットに近づくので、音声品質の低下を抑制することができる。また、本実施の形態において、制振部材１６が、自立性に乏しい柔軟部材としてスポンジを有し、さらに、そのスポンジを表示セル１１の裏面に固定する粘着層または接着層を有している場合にも、制振部材１６での音波の反射が弱まる。これにより、定在波の面内分布がフラットに近づくので、音声品質の低下を抑制することができる。また、本実施の形態において、制振部材１６が、自立性に乏しい柔軟部材として粘着剤または接着剤を有している場合にも、制振部材１６での音波の反射が弱まる。これにより、定在波の面内分布がフラットに近づくので、音声品質の低下を抑制することができる。
【００５４】
また、本実施の形態において、各加振器（加振器２１，２２）が、表示セル１１と所定の間隙を介して対向配置されたインナープレート１２に固定されている場合には、各加振器（加振器２１，２２）の振動を効率よく表示セル１１に伝達することができる。従って、音声品質の低下を抑制することができる。
【００５５】
また、本実施の形態において、制振部材１６がインナープレート１２に接している場合には、制振部材１６による制振作用をより大きくすることができる。従って、音声品質の低下を抑制することができる。なお、本実施の形態において、制振部材１６がインナープレート１２から離れて配置されている場合には、自重による制振効果が期待できる。
【００５６】
＜２．第１の実施の形態の変形例＞
上記実施の形態において、例えば、図２２、図２３に示したように、支持部４０および回動部５０が省略されていてもよい。ただし、この場合には、フラットパネルスピーカ１を、壁などに設けられたフックに掛けるための凹部３２がバックシャーシ１９に設けられていることが好ましい。なお、テーブルトップスタンドに、フラットパネルスピーカ２を置く場合には、上述の凹部３２がなくてもかまわない。
【００５７】
＜３．第２の実施の形態＞
[構成]
次に、本開示の第２の実施の形態に係るフラットパネルスピーカ２について説明する。図２４は、本実施の形態に係るフラットパネルスピーカ２の側面構成例を表したものである。図２５は、図２４のフラットパネルスピーカ２の背面構成例を表したものである。フラットパネルスピーカ２は、映像を表示する表示装置を兼ねている。言い換えると、表示装置が、フラットパネルスピーカ２を内蔵しており、映像を表示する表示面から音声を出力することができるように構成されているとも言える。
【００５８】
フラットパネルスピーカ２は、例えば、振動板としてのパネル部６０と、パネル部６０の裏面に配置され、パネル部６０を振動させる加振部７０とを備えている。フラットパネルスピーカ２は、さらに、例えば、加振部７０を制御する信号処理回路８１が内蔵された支持部８０を備えている。支持部８０は、回動部９０を介してバックシャーシ６９に固定されている。回動部９０は、支持部８０によってパネル部６０の裏面を支持するときのパネル部６０の傾斜角を調整するためのものであり、例えば、パネル部６０および支持部８０を回動可能に支持するヒンジによって構成されている。
【００５９】
図２６は、バックシャーシ６９を取り外したときの、フラットパネルスピーカ２の背面の構成例を表したものである。図２７は、図２６のＡ−Ａ線での断面構成例を表したものである。
【００６０】
パネル部６０は、例えば、映像を表示する薄板状の表示セル６１と、表示セル６１の裏面に固定された制振部材１６を有している。制振部材１６は、加振器２１によって表示セル６１に生じる振動と、加振器２２によって表示セル６１に生じる振動とが互いに干渉することによって発生する定在波を妨げる作用を有する。制振部材１６は、上記実施の形態と同様の構成となっている。
【００６１】
加振部７０は、例えば、上記実施の形態と同様、２つの加振器（加振器２１，２２）を有している。加振器２１は、表示セル６１を裏面から見たときに、左寄りに配置されている。加振器２２は、表示セル６１を裏面から見たときに、右寄りに配置されている。加振部７０は、さらに、２つの加振器（加振器２１，２２）と、信号処理回路８１とを電気的に接続する配線基板７１を有している。配線基板７１には、例えば、フレキシブル配線基板が接続されており、このフレキシブル配線基板を介して、２つの加振器（加振器２１，２２）と、信号処理回路８１とが電気的に接続されている。
【００６２】
加振部７０は、さらに、例えば、加振器ごとに、固定部７２、固定部材７３および振動伝達部材２４を有している。固定部７２は、例えば、加振器２１もしくは加振器２２を挿通させた状態で固定する開口７２ａを有している。各加振器（加振器２１，２２）は、例えば、固定部７２および固定部材７３を介して、表示セル６１の裏面に固定されている。各加振器（加振器２１，２２）は、固定部材７３によって、表示セル６１の裏面に対して、当該加振器（加振器２１，２２）と対向する位置とは異なる位置に固定されている。固定部材７３は、例えば、加振器２１もしくは加振器２２を表示セル６１の裏面に固定する他に、加振器２１もしくは加振器２２から発生した熱を放散させるヒートシンクの機能を有していてもよい。固定部材７３は、表示セル６１と固定部７２とを互いに固定する機能を有している。固定部材７３は、例えば、表示セル６１が振動している時に表示セル６１の振動を減衰させない程度の柔軟性を有していてもよい。固定部材７３は、例えば、両面に接着層を有するスポンジによって構成されている。
【００６３】
[効果]
本実施の形態に係るフラットパネルスピーカ２、または、フラットパネルスピーカ２内蔵の表示装置では、表示セル６１の裏面に固定された制振部材１６によって、表示セル６１の裏面が、加振点１１Ａを含む区画領域Ｒ１と、加振点１１Ｂを含む区画領域Ｒ２とに区画される。これにより、加振器２１によって表示セル６１に生じる振動と、加振器２２によって表示セル６１に生じる振動とが互いに干渉することによって発生する定在波が妨げられる。その結果、音声品質の低下を抑制することができる。なお、本実施の形態における制振部材１６は、上記実施の形態における制振部材１６によって得られる効果と同様の効果を有している。
【００６４】
また、本実施の形態では、各加振器（加振器２１，２２）が、表示セル６１の裏面に対して、当該加振器（加振器２１，２２）と対向する位置とは異なる位置に固定されている。これにより、各加振器（加振器２１，２２）が表示セル６１とともに振動するので、共振による振幅が大きくなり、低周波領域での出力を大きくすることができる。
【００６５】
＜４．各実施の形態に共通の変形例＞
[変形例Ａ]
上記各実施の形態およびそれらの変形例において、例えば、図２８、図２９、図３０に示したように、表示セル１１もしくは表示セル６１の代わりに、表示機能を有しないフラットパネル１７もしくはフラットパネル６３が設けられていてもよい。このような場合であっても、上記各実施の形態およびそれらの変形例における効果と同様の効果を得ることができる。
【００６６】
[変形例Ｂ]
上記各実施の形態およびそれらの変形例において、加振器（アクチュエータ）の数は、３つ以上であってもよい。例えば、上記第１の実施の形態およびその変形例において、加振部２０が、例えば、図３１に示したように、３つの加振器（加振器２１，２２，２５）を有していてもよい。また、例えば、上記第２実施の形態およびその変形例において、加振部７０が、例えば、図３２に示したように、３つの加振器（加振器２１，２２，２５）を有していてもよい。これらの場合、３番目の加振器（加振器２５）は、例えば、図３１、図３２に示したように、加振器２１と加振器２２との間に位置している。加振器２５（アクチュエータ）は、加振器２１と同様の構成を有している。
【００６７】
図３３は、本変形例における制振部材１６の背面構成の一例を表したものである。本変形例では、表示セル１１、表示セル６１、フラットパネル１７またはフラットパネル６３の裏面のうち、加振器２５と対向する位置を加振点１１Ｄとする。このとき、制振部材１６Ｄは、表示セル１１、表示セル６１、フラットパネル１７またはフラットパネル６３の裏面を、加振点１１Ｄを含む区画領域Ｒ３に区画するとともに、表示セル１１、表示セル６１、フラットパネル１７またはフラットパネル６３の裏面に固定されている。制振部材１６Ｄは、制振部材１６Ｌまたは制振部材１６Ｒと同様の構成となっている。従って、本変形例においても、上記各実施の形態およびそれらの変形例における効果と同様の効果を得ることができる。
【００６８】
[変形例Ｃ]
上記各実施の形態およびそれらの変形例において、加振器（アクチュエータ）の数は、１つであってもよい。例えば、加振部２０または加振部７０が、例えば、図３４、図３５に示したように、１つの加振器（加振器２５）を有していてもよい。このとき、加振器２５は、加振器２５により表示セル１１、表示セル６１、フラットパネル１７またはフラットパネル６３に振動を発生させたときに音声周波数全体において最も振動し易い箇所を避けて配置されている。加振器２５は、さらに、加振器２５により表示セル１１、表示セル６１、フラットパネル１７またはフラットパネル６３に振動を発生させたときに音声周波数全体において最も振動し難い箇所を避けて配置されている。表示セル１１、表示セル６１、フラットパネル１７またはフラットパネル６３の振動は、例えば、レーザドップラー振動計を用いて、表示セル１１、表示セル６１、フラットパネル１７またはフラットパネル６３の面全体の振動を音声周波数全体において計測することにより得られる。加振器２５は、表示セル１１、表示セル６１、フラットパネル１７またはフラットパネル６３の左右方向および上下方向において、割り切れない比率の箇所に配置されている。「割り切れない比率」の例としては、３：４、５：７、３：７、２：５、７：１１などが挙げられる。
【００６９】
本変形例では、表示セル１１、表示セル６１、フラットパネル１７またはフラットパネル６３の裏面のうち、加振器２５と対向する位置を加振点１１Ｄとする。このとき、制振部材１６Ｄは、表示セル１１、表示セル６１、フラットパネル１７またはフラットパネル６３の裏面を、加振点１１Ｄを含む区画領域Ｒ３に区画するとともに、表示セル１１、表示セル６１、フラットパネル１７またはフラットパネル６３の裏面に固定されている。
【００７０】
本変形例において、制振部材１６Ｄは、加振器２５によって、表示セル１１、表示セル６１、フラットパネル１７またはフラットパネル６３に生じる振動によって発生する定在波を妨げる作用を有している。制振部材１６Ｄは、例えば、加振器２５によって発生する振動に対する音波領域（２０Ｈｚ以上）での反射を制御可能な材料を含んで構成されていてもよい。また、制振部材１６Ｄは、例えば、加振器２５によって発生する振動または残響を吸収可能な材料を含んで構成されていてもよい。
【００７１】
制振部材１６Ｄは、例えば、図３６、図３８〜図４０に示したように、加振点１１Ｄ側に突出する複数の凸部１６ｄ（第３凸部）を有していてもよい。制振部材１６Ｄは、例えば、図３７に示したように、加振点１１Ｄ側に突出する１つの凸部１６ｄを有していてもよい。制振部材１６Ｄは、例えば、図３６〜図４２に示したように、表示セル１１、表示セル６１、フラットパネル１７またはフラットパネル６３の裏面において区画領域Ｒ３が閉領域となるように形成されていてもよい。制振部材１６Ｄは、例えば、図４１、図４２に示したように、加振点１１Ｄ側に突出する箇所を有しない円環状または多角環状となっていてもよい。なお、制振部材１６Ｄは、制振部材１６が有する作用と同様の作用を有している限りにおいて、インナープレート１２の表面から離れて配置されていてもよい。
【００７２】
本変形例では、表示セル１１、表示セル６１、フラットパネル１７またはフラットパネル６３の裏面に固定された制振部材１６Ｄによって、表示セル１１、表示セル６１、フラットパネル１７またはフラットパネル６３の裏面が、加振点１１Ｄを含む区画領域Ｒ３に区画される。これにより、加振器２５によって、表示セル１１、表示セル６１、フラットパネル１７またはフラットパネル６３に生じる振動によって発生する定在波が妨げられる。その結果、音声品質の低下を抑制することができる。なお、本変形例における制振部材１６Ｄは、上記実施の形態における制振部材１６によって得られる効果と同様の効果を有している。
【００７３】
本変形例において、制振部材１６Ｄは、表示セル６１、フラットパネル１７またはフラットパネル６３の裏面の概ね全体に渡って形成されていてもよい。例えば、図４３に示したように、本変形例において、制振部材１６Ｄが、表示セル６１、フラットパネル１７またはフラットパネル６３の裏面の広範囲に渡って形成されていてもよい。
【００７４】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００７５】
また、例えば、本開示は以下のような構成を取ることができる。
（１）
フラットパネルと、
前記フラットパネルの裏面に配置され、前記フラットパネルを振動させる複数の加振器と
を備え、
前記複数の加振器は、当該複数の加振器により前記フラットパネルに振動を発生させたときに音声周波数全体において最も振動し易い箇所を避けて配置されている
フラットパネルスピーカ。
（２）
前記複数の加振器は、当該複数の加振器により前記フラットパネルに振動を発生させたときに音声周波数全体において最も振動し難い箇所を避けて配置されている
（１）に記載のフラットパネルスピーカ。
（３）
前記複数の加振器は、前記フラットパネルの左右方向および上下方向において、割り切れない比率の箇所に配置されている
（１）または（２）に記載のフラットパネルスピーカ。
（４）
フラットパネルと、
前記フラットパネルの裏面に配置され、前記フラットパネルを振動させる複数の加振器と、
前記フラットパネルの裏面において、前記複数の加振器のうちの第１加振器と対向する位置を第１加振点とし、前記複数の加振器のうち前記第１加振器とは異なる第２加振器と対向する位置を第２加振点としたときに、前記フラットパネルの裏面を、前記第１加振点を含む第１区画領域と、前記第２加振点を含む第２区画領域とに区画するとともに、前記フラットパネルの裏面に固定された制振部材と
を備えた
（１）ないし（３）のいずれか１つに記載のフラットパネルスピーカ。
（５）
前記制振部材は、前記第１加振器によって前記フラットパネルに生じる振動と、前記第２加振器によって前記フラットパネルに生じる振動とが互いに干渉することによって発生する定在波を妨げる作用を有する
（４）に記載のフラットパネルスピーカ。
（６）
前記制振部材は、前記第１区画領域を形成する第１制振部材と、前記第２区画領域を形成する第２制振部材とを有し、
前記第１制振部材は、前記第１加振点側に突出する１または複数の第１凸部を有し、
前記第２制振部材は、前記第２加振点側に突出する１または複数の第２凸部を有する
（４）または（５）に記載のフラットパネルスピーカ。
（７）
前記第１区画領域は、前記フラットパネルの左端寄りに配置され、
前記第２区画領域は、前記フラットパネルの右端寄りに配置され、
前記１または複数の第１凸部は、前記第１区画領域において前記フラットパネルの左端寄りに配置され、
前記１または複数の第２凸部は、前記第２区画領域において前記フラットパネルの右端寄りに配置されている
（６）に記載のフラットパネルスピーカ。
（８）
前記第１区画領域の縦横比は１：１とは異なり、
前記第２区画領域の縦横比は１：１とは異なる
（５）ないし（７）のいずれか１つに記載のフラットパネルスピーカ。
（９）
前記制振部材は、自立性に乏しい柔軟部材を含んで構成され、前記柔軟部材としてスポンジを有し、さらに、前記スポンジを前記フラットパネルの裏面に固定する粘着層または接着層を有している
（４）ないし（８）のいずれか１つに記載のフラットパネルスピーカ。
（１０）
前記制振部材は、自立性に乏しい柔軟部材を含んで構成され、前記柔軟部材として粘着剤または接着剤を有している
（４）ないし（８）のいずれか１つに記載のフラットパネルスピーカ。
（１１）
前記フラットパネルと所定の間隙を介して対向配置された対向プレートをさらに有しており、
各前記加振器は前記対向プレートに固定されている
（５）に記載のフラットパネルスピーカ。
（１２）
前記制振部材は、前記対向プレートに接している
（１１）に記載のフラットパネルスピーカ。
（１３）
前記制振部材は、前記対向プレートから離れて配置されている
（１１）に記載のフラットパネルスピーカ。
（１４）
各前記加振器は、前記フラットパネルの裏面に対して、当該加振器と対向する位置とは異なる位置に固定されている
（５）に記載のフラットパネルスピーカ。
（１５）
フラットパネルと、
前記フラットパネルの裏面に配置され、前記フラットパネルを振動させる１つの加振器と、
前記加振器は、当該加振器により前記フラットパネルに振動を発生させたときに音声周波数全体において最も振動し易い箇所を避けて配置されている
フラットパネルスピーカ。
（１６）
前記表示セルの裏面において、前記加振器と対向する位置を加振点としたときに、前記表示セルの裏面を、前記加振点を含む区画領域に区画するとともに、前記表示セルの裏面に固定された制振部材を更に備えた
（１５）に記載のフラットパネルスピーカ。
（１７）
前記制振部材は、前記加振器によって前記フラットパネルに生じる振動によって発生する定在波を妨げる作用を有する
（１６）に記載のフラットパネルスピーカ。
（１８）
映像を表示する薄板状の表示セルと、
前記表示セルの裏面に配置され、前記表示セルを振動させる複数の加振器と
を備え、
前記複数の加振器は、当該複数の加振器により前記表示セルに振動を発生させたときに音声周波数全体において最も振動し易い箇所を避けて配置されている
表示装置。
（１９）
映像を表示する薄板状の表示セルと、
前記表示セルの裏面に配置され、前記表示セルを振動させる１つの加振器と
を備え、
前記加振器は、当該加振器により前記表示セルに振動を発生させたときに音声周波数全体において最も振動し易い箇所を避けて配置されている
表示装置。
【００７６】
本出願は、日本国特許庁において２０１６年１２月２７日に出願された日本特許出願番号第２０１６−２５３６６５号と、２０１７年５月１９日に出願された日本特許出願番号第２０１７−０９９４４９号とを基礎として優先権を主張するものであり、この出願のすべての内容を参照によって本出願に援用する。
【００７７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019110588.tif 000003
【図２】
2019110588.tif 000004
【図３】
2019110588.tif 000005
【図４】
2019110588.tif 000006
【図５】
2019110588.tif 000007
【図６】
2019110588.tif 000008
【図７】
2019110588.tif 000009
【図８】
2019110588.tif 000010
【図９】
2019110588.tif 000011
【図１０】
2019110588.tif 000012
【図１１】
2019110588.tif 000013
【図１２】
2019110588.tif 000014
【図１３】
2019110588.tif 000015
【図１４】
2019110588.tif 000016
【図１５】
2019110588.tif 000017
【図１６】
2019110588.tif 000018
【図１７】
2019110588.tif 000019
【図１８】
2019110588.tif 000020
【図１９】
2019110588.tif 000021
【図２０】
2019110588.tif 000022
【図２１】
2019110588.tif 000023
【図２２】
2019110588.tif 000024
【図２３】
2019110588.tif 000025
【図２４】
2019110588.tif 000026
【図２５】
2019110588.tif 000027
【図２６】
2019110588.tif 000028
【図２７】
2019110588.tif 000029
【図２８】
2019110588.tif 000030
【図２９】
2019110588.tif 000031
【図３０】
2019110588.tif 000032
【図３１】
2019110588.tif 000033
【図３２】
2019110588.tif 000034
【図３３】
2019110588.tif 000035
【図３４】
2019110588.tif 000036
【図３５】
2019110588.tif 000037
【図３６】
2019110588.tif 000038
【図３７】
2019110588.tif 000039
【図３８】
2019110588.tif 000040
【図３９】
2019110588.tif 000041
【図４０】
2019110588.tif 000042
【図４１】
2019110588.tif 000043
【図４２】
2019110588.tif 000044
【図４３】
2019110588.tif 000045